(57)【要約】【課題】小型、薄型かつ広角度に回転し、精度良く小型カメラのシャッターや絞りを制御することが可能なモーターを提供する。【解決手段】一体成形されてなる樹脂製のカップと、カップ底面に接着される基板と、カップ底部の軸受け部外周側に固定されたステーターと、内径部に着磁されたリング状のマグネットが固定され、中央部にはシャフトが固定され、外部側端面に外部部品を駆動するための複数の凸部または凹部を有するローターとからなり、かつ基板ターミナル部を通じて外部電源に導通され、外部電源からのパルス信号により駆動される。【選択図】図１
2004135391.tif 000002
【特許請求の範囲】
【請求項１】
小型扁平モーターであって、
（１）カップ状中央底部に軸受け部、その周辺に複数の貫通孔を有し、一体成形されてなる樹脂製のカップと、
（２）該カップとほぼ同様の外周と該カップの貫通孔と同数かつほぼ同径の貫通孔を有し、かつ外周側の一部に突出した矩形のターミナル部を有し、カップ底面に接着される基板と、
（３）複数の極を有する複数の鉄心を積層後に絶縁し、該鉄心に巻線を施してカップ底部の軸受け部外周側に固定されたステーターと、
（４）カップ内径より僅かに小さい外形を有し、カップ状の内径部に着磁されたリング状のマグネットが固定され、中央部にはシャフトが固定され、外部側端面に外部部品を駆動するための複数の凸部または凹部を有するローターとからなり、
該シャフトはカップ底部の軸受け部に挿入され、ステーター巻き線の端部はカップおよび基板の貫通孔を通し基板裏面にはんだ付けされ、かつ基板ターミナル部を通じて外部電源に導通され、外部電源からのパルス信号により駆動されることを特徴とするビデオカメラまたは小型カメラの絞り駆動用またはシャッター駆動用モーター。
【請求項２】
小型扁平モーターであって、
（１）カップ状中央底部に軸受け部、その周辺に複数の貫通孔を有し、一体成形されてなる樹脂製のカップと、
（２）該カップとほぼ同様の外周と該カップの貫通孔と同数かつほぼ同径の貫通孔を有し、かつ外周側の一部に突出した矩形のターミナル部を有し、カップ底面に接着される基板と、
（３）複数の極を有する複数の鉄心を積層後に絶縁し、該鉄心に巻線を施してカップ底部の軸受け部外周側に固定されたステーターと、
（４）カップ内径より僅かに小さい外形を有しカップ状の内径部に着磁されたリング状のマグネットが固定され、中央部にはシャフトが固定され、外部側端面に外部部品を駆動するための複数の凸部または凹部を有するローターとからなり、該シャフトはカップ底部の軸受け部に挿入され、ステーター巻き線の端部はカップおよび基板の貫通孔に圧入される金属製端子にからげてはんだ付けされ、基板裏側で該端子から基板ターミナル部を通じて外部電源に導通され、外部電源からのパルス信号により駆動されることを特徴とするビデオカメラまたは小型カメラの絞り駆動用またはシャッター用モーター。
【発明の詳細な説明】
【０００１】
【発明の属する技術分野】
この発明はビデオカメラまたは小型カメラの絞り駆動用またはシャッター駆動用モーターに関する。
【０００２】
【従来の技術】
従来のビデオカメラまたは小型カメラの絞り駆動用またはシャッター駆動用モーターは、図５に示すように、ガルバノ方式といわれる縦型のモーターが通常使用されている。このモーターは図５の７に示す如く、外周側にシャフト１０に平行に巻き線が巻かれており、その内側に着磁された永久磁石がローターとして配置され、巻き線に流れる電流値に応じた角度だけ回転するようになっていて、必要な電流を巻き線に流すことによって必要な角度だけ回転するのである。（例えば特許文献１参照）
【０００３】
【特許文献１】
特開平２００１−１４２１１１号公報（図１）
【０００４】
【発明が解決しようとする課題】
近年、携帯電話のような小さな機器にカメラが搭載されるようになり、更なる小型化が要求されるようになってきているが、従来のガルバノ方式では縦型にコイルを巻かれているため構造上小型、薄型にすることは困難で、回転角度についてもコイルの間から駆動用部品を両側に突出させて作動させる関係で、実用上は、高々６０度程度どまりであるという制約があった。本発明は小型、薄型かつ広角度に回転し、精度良く小型カメラの絞りを制御することが可能なモーターを提供しようとするものである。
【０００５】
【課題を解決するための手段】
以上の課題を解決するために、請求項１の発明は、小型扁平モーターであって、
（１）中央底部に軸受け部、その周辺に複数の貫通孔を有し、一体成形されてなる樹脂製のカップと、
（２）該カップとほぼ同様の外周と該カップの貫通孔と同数かつほぼ同径の貫通孔を有し、かつ外周側の一部に突出した矩形のターミナル部を有し、カップ底面に接着される基板と、
（３）複数の極を有する複数の鉄心を積層後に絶縁し、該鉄心に巻線を施してカップ底部の軸受け部外周側に固定されたステーターと、
（４）カップ内径より僅かに小さい外形を有しカップ状の内径部に着磁されたリング状のマグネットが固定され、中央部にはシャフトが固定され、外部側端面に外部部品を駆動するための複数の凸部または凹部を有するローターとからなり、該シャフトはカップ底部の軸受け部に挿入され、コアまき線の端部はカップおよび基板の貫通孔を通し基板裏面にはんだ付けされ、かつ基板ターミナル部を通じて外部電源に導通され、外部電源からのパルス信号により駆動されることを特徴とするビデオカメラまたは小型カメラの絞り駆動用またはシャッター駆動用モーターを提供するものである。
また、請求項２の発明は、小型扁平モーターであって、
（１）カップ状中央底部に軸受け部、その周辺に複数の貫通孔を有し、一体成形されてなる樹脂製のカップと、
（２）該カップとほぼ同様の外周と該カップの貫通孔と同数かつほぼ同径の貫通孔を有し、かつ外周側の一部に突出した矩形のターミナル部を有し、カップ底面に接着される基板と、
（３）複数の極を有する複数の鉄心を積層後に絶縁し、該鉄心に巻線を施してカップ底部の軸受け部外周側に固定されたステーターと、
（４）カップ内径より僅かに小さい外形を有しカップ状の内径部に着磁されたリング状のマグネットが固定され、中央部にはシャフトが固定され、外部側端面に外部部品を駆動するための複数の凸部または凹部を有するローターとからなり、該シャフトはカップ底部の軸受け部に挿入され、コアまき線の端部はカップおよび基板の貫通孔に圧入される金属製端子にからげてはんだ付けされ、かつ基板裏側で該端子から基板ターミナル部を通じて外部電源に導通され、外部電源のパルス信号により駆動されることを特徴とするビデオカメラまたは小型カメラの絞り駆動用またはシャッター駆動用モーターを提供するものである。
【０００６】
【発明の実施の形態】
この発明の一実施形態を図１に示す。１は樹脂成形によるカップ、２が中央部にある軸受け部でカップと共に一体成形されている。３は貫通孔、４は基板、５は基板と一体になっているターミナル部、６は対になる２箇所づつ合計３極６箇所の極を有する鉄心に巻き線を施したステーター、８はロータ、９は８極着磁されているＮｄの等方性プラスチックマグネット、１０はシャフト、１１は外部部品（絞り板など）を駆動する突起部である。このモーターの外径はΦ８ｍｍ以下、高さは３ｍｍ以下である。このモーターは外部からターミナル部を経て伝えられるパルス信号により、正確に広範囲に角度をかえられるので、絞り調節を的確に実行できるのである。
【０００７】
【実施形態の効果】
この実施形態によれば、カップを軸受け部と一体成形し、ローターをリング状にする等の工夫により、小型かつ扁平化が達成され、かつ部品点数もより少なく、組み立て作業も効率よくなる等の効果がある上、広角度で精度良く回転可能な、ビデオカメラまたは小型カメラの絞り調節用またはシャッター駆動用として最適なモーターが供給可能なのである。
【０００８】
【他の実施形態】
図３に示すように、巻き線端部の取り扱いをより容易にするために、金属製の端子をカップと基板の貫通孔にかしめて、その端子に巻き線の端部をからげ半田付けすることにより、小さなカップ内のスペースでの作業の困難性を少なくし、組み立て作業の効率化を図ることができる。
【０００９】
【発明の効果】
この発明によれば、カップを軸受け部と一体成形し、ローターをリング状にする等の工夫により、小型かつ扁平化が達成され、かつ部品点数もより少なく、組み立て作業も効率よくなる等の効果がある上、広角度で精度良く回転可能な、ビデオカメラ及び小型カメラの絞り調節用及びシャッター駆動用として最適なモーターが供給可能なのである。
また、回転角度を３６０度取り出せるため絞り羽根の作動範囲を大きく取ることができる。
【００１０】
【図面の簡単な説明】
【図１】本発明の一実施形態であるモーターの断面図である。
【図２】本発明の一実施形態であるモーターの外観図である。
【図３】本発明の一実施態様であるモーターの裏面図である。
【図４】本発明の他の実施態様であるモーターの断面図である。
【図５】従来使用されているガルバノ方式のモーターの断面図である。
【符号の説明】
１．カップ
２．軸受け部
３．貫通孔
４．基板
５．ターミナル部
６．ステーター
７．巻き線
８．ロータ
９．マグネット
１０．シャフト
１１．駆動用突起部
【図１】
2004135391.tif 000003
【図２】
2004135391.tif 000004
【図３】
2004135391.tif 000005
【図４】
2004135391.tif 000006
【図５】
2004135391.tif 000007